(57)【要約】【課題】  弾球遊技機において、２枚の透明板の一方又は双方が過剰なスペースを占めるのを回避すること。【解決手段】  パチンコ機１０は、間隔をおいて平行に配置される２枚のガラス板２４、２５と、これら２枚のガラス板２４、２５の外周部を保持する保持枠２６とからなる透明板構造体２３を前面窓枠１５に取り付けているが、ガラス板２４の縦長さをガラス板２５の縦長さよりも小さくしてある。そして、ガラス板２４の縦長さを相対的に小さくして創り出したスペースを他の部品（実施例ではプリント配線基板３１）の設置場所にして、スペースの有効利用を可能にしている。【選択図】図４
2007282851.tif 000002
【特許請求の範囲】
【請求項１】
間隔をおいて平行に配置される２枚の透明板と、前記２枚の透明板の外周部を保持する保持枠とからなる弾球遊技機用の透明板構造体において、
前記２枚の透明板の外形寸法を異ならせたことを特徴とする
弾球遊技機用の透明板構造体。
【請求項２】
前記２枚の透明板の外周部を前記保持枠に固定することで一体構造とした
ことを特徴とする請求項１記載の弾球遊技機用の透明板構造体。
【請求項３】
前記２枚の透明板はともに長方形であることを特徴とする
請求項１又は２記載の弾球遊技機用の透明板構造体。
【発明の詳細な説明】
【技術分野】
【０００１】
本発明は、弾球遊技機の技術分野に属し、詳しくは遊技盤の前方に配置される透明板構造体に関する。
【背景技術】
【０００２】
パチンコ機等の弾球遊技機においては、遊技盤の前方に透明板（多くの場合ガラス板）を配置して、その透明板と遊技盤とに挟まれる空間を遊技領域としている。また、主として不正行為対策を目的として、遊技領域を画成するための透明板の前方、つまり遊技者側にもう１枚の透明板が配されるのが普通である。従って、通常の弾球遊技機は２枚の透明板が装着されている。
【０００３】
これら２枚の透明板を、間隔をおいて平行に配置して、その外周部を取付枠に固定することで一体構造とした透明板構造体がある。
例えば実公昭５７−４７０１２号公報（特許文献１）に開示される複合ガラス板は、合成樹脂により額縁状のガラス取付枠を一体に形成し、そのガラス取付枠の両端面に段部を周設して、該各段部にそれぞれ板ガラスを接着剤にて重合接着することにより一体構造としている。
【特許文献１】実公昭５７−４７０１２号公報
【発明の開示】
【発明が解決しようとする課題】
【０００４】
従来の透明板構造体では、特許文献１にも記載されているように、２枚の透明板は同形状、同寸法、つまり合同な形状であった。
２枚の透明板の一方は、上述したように遊技盤と対面して遊技領域を形成することから、ガイドレールの設置範囲をカバーできればよく、他方は遊技盤の前方に配される扉状の前面窓枠に設けられる、遊技盤を臨ませるための窓を閉塞できるサイズであればよいので、必ずしも合同にする必要はない。
【０００５】
ところが、２枚の透明板を合同な形状にしているので、透明板を長方形にした場合を例にすると、一方の横幅が必要十分な寸法よりも大きくなったり、また他方の縦が必要十分な寸法よりも大きくなったりというように、いずれか一方又は双方が必要十分なサイズよりも大きくなっていた。すなわち、その分だけ過剰なスペースを占めていた。
【０００６】
なお、ガラスレールに透明板を挿し込む構造（抜き挿し可能）であっても、２枚の透明板を合同な形状にしている限りは同様の問題がある。
【課題を解決するための手段】
【０００７】
請求項１記載の弾球遊技機用の透明板構造体は、間隔をおいて平行に配置される２枚の透明板と、前記２枚の透明板の外周部を保持する保持枠とからなる弾球遊技機用の透明板構造体において、前記２枚の透明板の外形寸法を異ならせたこと、つまり２枚の透明板の外形を合同にしないことを特徴とするので、例えば一方の横幅が必要十分な寸法よりも大きかったのを小さくしたり、また他方の縦が必要十分な寸法よりも大きかったのを小さくしたりできる。そして、そのようにして創り出したスペースを他の部品の設置場所にする等の有効利用が可能になる。
【０００８】
この弾球遊技機用の透明板構造体は、請求項２記載のように、前記２枚の透明板の外周部を前記保持枠に固定することで一体構造としたものでもよいし、ガラスレールに透明板を挿し込む構造（抜き挿し可能な構造）であってもよい。
【０００９】
２枚の透明板は、請求項３記載のように、ともに長方形であってもよいし、他の形状、例えば円形、長方形の隅を切り落とした形状等であってもよい。
説明を簡明にできるので、ともに長方形にする場合を例にすると、２枚の透明板の外形寸法を異ならせるというのは、縦の長さを異ならせる（横幅は同じ）、横幅を異ならせる（縦長は同じ）、縦横とも異ならせるのいずれかである。従って、相似形にする必要はない（相似形であってもよいが）。また、内外２枚のうちのどちらを大きく（或いは小さく）するかは、実施に当たって適宜決めればよいことであり、いわゆる設計事項である。
【００１０】
他の形状の場合もこれに準じて、外形の一部または全部の寸法を異ならせればよい。円形の場合はいうまでもなく直径を異ならせることである。
なお、２枚の透明板それぞれを具体的にどのような形状、寸法にするかは、遊技領域のサイズ、前面窓枠に設けられた窓のサイズ、その他の条件によって異なってくるので一律には決まらない。但し、加工が容易、取り扱いやすい形状である等の点から長方形が優れているといえる。
【発明を実施するための最良の形態】
【００１１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、弾球遊技機の一種であるパチンコ機１０は正面から見た形状が長方形の外枠１２を備えている。外枠１２は公知のパチンコ機のものと同様であり、その内側に各種の機構を収容している。それらの機構もまた公知のパチンコ機のものと同様であるので、図示と説明は省略する。
【００１２】
外枠１２には、上下のヒンジ１３を介して中枠１４が取り付けられている。中枠１４はヒンジ１３を軸として扉状に開閉可能であるが、通常は図示するように閉じられている。
その中枠１４の前面側の上半部には、前面窓枠１５が、ヒンジ１６ａ、１６ｂを介して扉状に開閉可能に取り付けられ、その下方にては上皿１７がヒンジ１６ｂ、１６ｃを介して扉状に開閉可能に取り付けられている。これらも通常は図示するように中枠１４の前面側に閉じられている。
【００１３】
さらに、上皿１７の下方にては下皿１８及び灰皿１９が、下皿パネル２０を介して中枠１４の前面側に取り付けられている。また、下皿１８の右側には発射ハンドル２１が取り付けられている。これら下皿１８、灰皿１９及び発射ハンドル２１は、デザイン的な差異を除けば公知のパチンコ機に装備されているものと変わるところはない。
【００１４】
図１、２に示すように、前面窓枠１５には円形の窓２２が設けられている。窓２２のサイズは遊技盤３５（図１、２には示さない）に形成された遊技領域（ガイドレール等で区画されるほぼ円形の領域で、この領域に入賞装置等が配置されている。）とほぼ等しく、図１に示す状態のときに中枠１４にて保持されている遊技盤３５の遊技領域とほぼ重なる位置に設けられている。
【００１５】
この窓２２の背後には透明板構造体２３が配されている。
図３に示すように、透明板構造体２３は、２枚のガラス板２４、２５と、これらの外周部を保持する保持枠２６とから構成されている。
【００１６】
ガラス板２４、２５は共に長方形で横幅は同じであるが、縦の長さは前側になるガラス板２４の方が短い（後ろ側になるガラス板２５の方が長い）。
保持枠２６はプラスチック製であり、内周部に設けられた保持溝２７、２８にガラス板２４、２５の外周部を嵌合させている。なお、保持溝２７、２８とガラス板２４、２５の外周部とは接着されている。
【００１７】
また、上述のようにガラス板２４、２５の縦長さに差があり、図３（ｂ）、（ｄ）に示すようにガラス板２４、２５の下端を水平方向に揃えているので、図３（ｂ）、（ｃ）に示すようにガラス板２５の上端が、相対的に上に突き出ている。このため、保持溝２７、２８は、左右の縦辺部２６Ｌ、２６Ｒ及び下の横辺部２６Ｂでは併走しているが、上の横辺部２６Ｔでは段違い状になっている。
【００１８】
なお、保持枠２６が額縁状にガラス板２４、２５の外周を囲んでいる構造であるから、保持枠２６は、少なくとも２分割構造にしなければならない。本実施例では、左右の縦辺部２６Ｌ、２６Ｒ及び下の横辺部２６Ｂからなるコの字状の部分と上の横辺部２６Ｔとの２分割構造を採用しており、先にコの字状の部分にガラス板２４、２５を差し込んでから、上の横辺部２６Ｔを取り付けて、コの字状の部分と横辺部２６Ｔとを接着剤にて連結して一体構造にしている。
【００１９】
そして、図２に示すように、透明板構造体２３を前面窓枠１５に取り付けて、窓２２をガラス板２４にて塞いでいる。
ガラス板２４の縦長さが窓２２を塞ぐために必要かつ十分な寸法にされているので（ガラス板２５と合同ではなく、ガラス板２５よりも縦が短くされているので）、保持枠２６の横辺部２６Ｔの段差部分に相当する空間が保持枠２６の上方に形成されている。
【００２０】
図２、図４に示すように、この横辺部２６Ｔの段差によるスペースには、プリント配線基板３１が配されている。
窓２２の上方には電飾部３０が設けられており、プリント配線基板３１に実装されたＬＥＤ（図示は省略）が電飾部３０の背後に位置するので、ＬＥＤを発光させることで電飾効果が得られる。
【００２１】
図４に示すのは前面窓枠１５を閉じた状態の部分断面図であるが、この図に示すように、透明板構造体２３のガラス板２５が遊技盤３５と対面して、両者間に遊技領域となる空間を形成する。この空間の奥行き（ガラス板２５と遊技盤３５との間隔）は約２０ｍｍである。
【００２２】
この状態、つまりパチンコ機１０を稼働させて遊技に供するときには、透明板構造体２３の上方のプリント配線基板３１を収容しているスペースの背面側は、板金製の中枠１４の上縁部１４ａによって閉じられる。このため、プラスチック製の電飾部３０に小穴を開けて、プリント配線基板３１を収容しているスペースから遊技領域へとピアノ線等を差し込もうとしても、上縁部１４ａによって阻まれる。また、ピアノ線等を上縁部１４ａの下側に通そうとしても、その部分はガラス板２５によって閉じられているから、これもできない。
【００２３】
遊技者側になるガラス板２４の縦長さを、遊技盤３５側になるガラス板２５よりも短くして、例えばプリント配線基板３１を配置するスペースを創出しても、そのスペースを悪用することはできない。
【００２４】
なお、このような不正防止を主たる目的として（スペース創出を主たる目的としなくても）、２枚のガラス板２４、２５の一方を相対的に大きくすることは、本発明の範囲内である。
【００２５】
以上説明したように、本実施例のパチンコ機１０は、間隔をおいて平行に配置される２枚のガラス板２４、２５と、これら２枚のガラス板２４、２５の外周部を保持する保持枠２６とからなる透明板構造体２３を前面窓枠１５に取り付けているが、ガラス板２４の縦長さをガラス板２５の縦長さよりも小さくしてある。そして、ガラス板２４の縦長さを相対的に小さくして創り出したスペースを他の部品（実施例ではプリント配線基板３１）の設置場所にして、スペースの有効利用を可能にしている。
【００２６】
なお、実施例ではガラス板２４の縦長さをガラス板２５の縦長さよりも小さくしているが、横幅を異ならせてもよいし、縦横とも異ならせてもよい。また、ガラス板２４の縦長さ又は横幅をガラス板２５よりも大きくしてもよい。
【図面の簡単な説明】
【００２７】
【図１】実施例のパチンコ機の正面図。
【図２】実施例の前面窓枠の正面図（ａ）及びＡＡ−ＡＡ断面図（ｂ）。
【図３】実施例の透明板構造体の正面図（ａ）、縦断面図（ｂ）、上の横辺部の拡大断面図（ｃ）及び下の横辺部の拡大断面図（ｄ）。
【図４】実施例のパチンコ機で前面窓枠を閉じた状態の部分断面図。
【符号の説明】
【００２８】
１０・・・パチンコ機（弾球遊技機）、
１２・・・外枠、
１４・・・中枠、
１５・・・前面窓枠、
２２・・・窓、
２３・・・透明板構造体、
２４、２５・・・ガラス板（透明板）、
２６・・・保持枠、
２７・・・保持溝、
３０・・・電飾部、
３１・・・プリント配線基板、
３５・・・遊技盤。
【図１】
2007282851.tif 000003
【図２】
2007282851.tif 000004
【図３】
2007282851.tif 000005
【図４】
2007282851.tif 000006